(57)【要約】【課題】イカが餌魚にのった際、道糸をゆっくりと巻き上げ倒伏状態のヤエンが素早く起立状態となり確実にイカを針体に引っ掛け釣り上げるヤエン釣り式イカ釣り具を提供することを目的とする。【解決手段】棒材の一端側にイカを引っ掛ける針体が、他端側の端部に錘がそれぞれ設けると共に、前記棒材の他端側に先端部に道糸ガイド部を有する少なくとも２つの支杆が設けられ、前記棒材の他端側に抵抗板を所定角度の範囲で上下に回動可能に設けることを特徴とするヤエン釣り式イカ釣り具。【選択図】  図１
2005021012.tif 000002
【特許請求の範囲】
【請求項１】
棒材の一端側にイカを引っ掛ける針体が、他端側の端部に錘がそれぞれ設けると共に、前記棒材の他端側に先端部に道糸ガイド部を有する少なくとも２つの支杆が設けられ、前記棒材の他端側に抵抗板を所定角度の範囲で上下に回動可能に設けることを特徴とするヤエン釣り式イカ釣り具。
【請求項２】
前記少なくとも２つの支杆の一端側に位置する支杆の高さを他端側に位置する支杆の高さより低くすることを特徴とする請求項１に記載のヤエン釣り式イカ釣り具。
【請求項３】
前記棒材の針体を設けた一端側と錘、支杆及び抵抗板を設けた他端側を直線上になるように配置し、前記棒材の一端側と他端側とを前記一端側及び他端側と平行で且つ下方にずれた中間部で連結したことを特徴とする請求項１又は２に記載のヤエン釣り式イカ釣り具。
【請求項４】
前記棒材の一端側をそれぞれ針体を設けた２つの平行な部材で構成することを特徴とする請求項１又は２に記載のヤエン釣り式イカ釣り具。
【発明の詳細な説明】
【０００１】
【発明の属する技術分野】
本発明は、アオリイカ釣り等に用いるヤエン釣り式イカ釣り具に関する。
【０００２】
【従来の技術】
従来、アオリイカ釣り等に用いられるイカ釣り具は、所謂、「ヤエン」と呼ばれる。
ヤエンとは、棒材の一端側にイカを引っ掛ける針体が、他端側に錘がそれぞれ設けると共に、前記棒材の他端側に先端部に道糸ガイド部を有する少なくとも２つの支杆が設けられたものである。
このヤエン釣り式イカ釣り具は、道糸の先端に鯵等の餌魚を付け、鯵等の餌魚にイカがのり道糸が繰り出され、十分にイカが餌魚に抱きついたのを確認した後、ヤエンを道糸をガイドとして海中を滑らせて餌魚の下に到達させ、道糸を緩ませないで道糸をゆっくりと巻き上げることにより倒伏状態のヤエンを起立状態としてヤエンの一端側の針体によりイカを引っ掛け釣り上げるものである。
【０００３】
【特許文献１】
特開２００１−２９２６７０号公報
【０００４】
【発明が解決しようとする課題】
しかしながら、従来のヤエン釣り式イカ釣り具においては、道糸をゆっくり巻き上げても、海中の倒伏状態のヤエンの角度はなかなか起立状態に変化せず、その間にイカがヤエンの針体に引っ掛からずイカを逃がしてしてしまうことが多かった。
【０００５】
本発明は、上記従来のヤエン釣り式イカ釣り具の持つ課題を解決した、イカが餌魚にのった際、道糸を巻き上げと倒伏状態のヤエンが素早く起立状態となり確実にイカを針体に引っ掛け釣り上げるヤエン釣り式イカ釣り具を提供することを目的とする。
【０００６】
【課題を解決するための手段】
本第１発明は、前記課題を解決するために、ヤエン釣り式イカ釣り具において、棒材の一端側にイカを引っ掛ける針体が、他端側の端部に錘がそれぞれ設けると共に、前記棒材の他端側に先端部に道糸ガイド部を有する少なくとも２つの支杆が設けられ、前記棒材の他端側に抵抗板を所定角度の範囲で上下に回動可能に設けることを特徴とする。
【０００７】
本第２発明は、本第１発明のヤエン釣り式イカ釣り具において、前記少なくとも２つの支杆の一端側に位置する支杆の高さを他端側に位置する支杆の高さより低くすることを特徴とする。
【０００８】
本第３発明は、本第１又は第２発明のヤエン釣り式イカ釣り具において、前記棒材の針体を設けた一端側と錘、支竿及び抵抗板を設けた他端側とを直線上になるように配置し、前記棒材の一端側と他端側とを前記一端側及び他端側と平行で且下方にずれた中間部で連結したことを特徴とする。
【０００９】
本第４発明は、本第１又は第２発明のヤエン釣り式イカ釣り具において、前記棒材の一端側をそれぞれ針体を設けた２つの平行な部材で構成することを特徴とする。
【００１０】
【発明の実施の形態】
本発明の実施形態を図により説明する。
図１は、本発明の第１実施形態を示すものである。ヤエン釣り式イカ釣り具１は、ステンレス等の材料で形成される棒材２の一端側にアオリイカ等のイカを引っ掛ける複数の針体３が設けられる。棒材２の他端側には錘４が設けられる。棒材２の他端側には、先端部に道糸ガイド部５を有する支杆６が少なくとも２つ設けられる。少なくとも２つの支杆６の一端側に位置する支杆６ａの高さを他端側に位置する支杆６ｂの高さより低くする。
棒材２の他端側に所定大きさの抵抗板７を設ける。
抵抗板７は、所定角度の範囲で回動可能に設ける。この実施形態のヤエン釣り式イカ釣り具１は、竿に連結された道糸８の先端に鯵等の餌魚９を固定して海中に投入し、アオリイカが餌魚９にのり、道糸８が繰り出されると、道糸８に道糸ガイド部５を挿通したヤエン釣り式イカ釣り具１を道糸８に沿って海中に移動させる。その際、抵抗板７は回動し、水圧をあまり受けない状態となりヤエン釣り式イカ釣り具１の水中への移動の抵抗とならない。
ヤエン釣り式イカ釣り具１を移動させ、イカがのった餌魚９の下にヤエン釣り式イカ釣り具１を倒伏状態で位置させ、道糸８を緊張状態に保ち、道糸８をゆっくりと巻き上げると、抵抗板７が水圧を受け回動し、その反力で倒伏状態のヤエン釣り式イカ釣り具１を素早く起立状態とし、複数の針体３がアオリイカを引っ掛け、釣り上げる。
【００１１】
図２に本発明の第２の実施形態を示すものである。第２実施形態のヤエン釣り式イカ釣り具１は、棒材２の一端側にアオリイカ等のイカを引っ掛ける複数の針体３が設けられ、棒材２の他端側には錘４が設けられ、他端側には、先端部に道糸ガイド部５を有する支杆６が少なくとも２つ設けられ、支杆６の近傍に所定大きさで所定角度の範囲で上下に回動可能な抵抗板７を設ける。
少なくとも２つの支杆６の一端側に位置する支杆６ａの高さを他端側に位置する支杆６ｂの高さより低くする。
第２実施形態のヤエン釣り式イカ釣り具１においては、棒材２の針体３を設けた一端側と錘４、支杆６及び抵抗板７を設けた他端側とを直線上になるように配置し、前記棒材２も一端側と他端側とを前記一端側及び他端側と平行で且つ横方向にずれた中間部１０で連結する。
第２実施形態では、中間部１０が道糸ガイド部５と針体３を設けた棒材２の他端側と一端側に対して下方にずれているため、道糸８の先端に固定された餌魚９が下方にずれた中間部１０に位置し、餌魚９にのったイカの位置も下がるため棒材２の一端側に設けた針体３に引っ掛かりやすくなる。
【００１２】
図３は、本発明の第３実施形態を示すものである。第３実施形態のヤエン釣り式イカ釣り具１は、棒材２の他端側の端部に錘４が設けられ、先端部に道糸ガイド部５を有する支杆６が少なくとも２つ設けられ、少なくとも２つの支杆６の一端側に位置する支杆６ａの高さを他端側に位置する支杆６ｂの高さより低くする。棒材２の他端側に所定大きさの抵抗板７を設け、抵抗板７は、所定角度の範囲で回動可能に設ける。
第３実施形態では、棒材２の他端側の先端から互いに離間する方向に伸びた後、棒材２の他端側と平行に伸び、次いで互いに接近する方向に伸び、再び棒材２の他端側と平行に伸びる２本の一端側部材１１が設けられる。２本の一端側部材１１の先端側に複数の針体３を設ける。
２本の一端側部材１１に夫々針体３が設けられるため、餌魚９にのったイカが針体３に引っ掛かりやすくなる。
【００１３】
【発明の効果】
本発明の棒材に上下に回動可能な抵抗板を設ける構成により、道糸を巻き上げると、巻き上げにより発生する水圧で抵抗板が回動し、その反力で倒伏状態のヤエン釣り式イカ釣り具が素早く起立状態になり、餌魚にのったイカを確実に針体に引っ掛けることが可能となる。
また、少なくとも２つの支杆の一端側に位置する支杆の高さを他端側に位置する支杆の高さより低くすることにより、道糸にガイドされて海中を移動するヤエン釣り式イカ釣り具の移動がスムーズになり、その際抵抗板も回動し、水圧受けない状態となりヤエン釣り式イカ釣り具の移動の抵抗とならない。
さらに、棒材の一端側と他端側とを前記一端側及び他端側と平行で且下方にずれた中間部で連結する構成により、餌魚が下方に下がり、餌魚にのったイカが針体に引っ掛かりやすくなる。
また、棒材の一端側をそれぞれ針体を設けた２つの平行な部材で構成することにより、イカをより確実に針体に引っ掛けやすくなる。
【図面の簡単な説明】
【図１】本発明の第１実施形態を示す図である。
【図２】本発明の第２実施形態を示す図である。
【図３】本発明の第３実施形態を示す図である。
【符号の説明】
１：ヤエン釣り式イカ釣り具
２：棒材
３：針体
４：錘
５：道糸ガイド
６：支杆
６ａ：一端側の支杆
６ｂ：他端側の支杆
７：抵抗板
８：道糸
９：餌魚
１０：中間部
１１：一端側部材
【図１】
2005021012.tif 000003
【図２】
2005021012.tif 000004
【図３】
2005021012.tif 000005